(57)【要約】本明細書に開示された主題は、無線通信ネットワークにおいて、モバイル局と基地局との間でメッセージを送信するシステム及び方法に関する。１つの例において、モバイル局は、モバイル終点コールを開始しようとしている基地局からのページメッセージの受信に応答して、開始メッセージを選択的に送信することができる。開始メッセージは、単一のコール内でのメッセージの双方向交換を可能とするモバイル起点コール又はセッションを開始することができる。
2009534946.tif 000002
【特許請求の範囲】
【請求項１】
基地局（ＢＳ）からのページメッセージをモバイル局（ＭＳ）において受信し、前記ＢＳと前記ＭＳとの間でコール又はセッションを開始しようと試みることと、
モバイル起点（ＭＯ）コール又はＭＯセッションを開始するために、前記ページメッセージに応答して、開始メッセージを前記ＢＳへ送信することと
を備えた方法。
【請求項２】
前記ＭＯコール又はＭＯセッション中に、前記ＢＳからの少なくとも１つのモバイル終点（ＭＴ）ショート・メッセージ・サービス（ＳＭＳ）メッセージを前記ＭＳにおいて受信することと、
前記ＭＯコール又はＭＯセッション中に、少なくとも１つのＭＯ  ＳＭＳメッセージを前記ＭＳから前記ＢＳへ送信することと
を更に備えた請求項１に記載の方法。
【請求項３】
前記１つ又は複数のＭＯ  ＳＭＳメッセージに少なくとも部分的に基づいて、無線通信ネットワークにおける１つ又は複数のアプリケーションを可能とすることを更に備えた請求項２に記載の方法。
【請求項４】
前記少なくとも１つのＭＯ  ＳＭＳメッセージを送信することの後、前記ＭＯコール又はＭＯセッションを解除することを更に備えた請求項２に記載の方法。
【請求項５】
前記ページメッセージと前記開始メッセージとが、ｃｄｍａ２０００プロトコルに従って送信される請求項１に記載の方法。
【請求項６】
前記ページメッセージ内のサービスオプション番号に少なくとも部分的に基づいて、前記ページメッセージのアクノレッジメントの代わりに前記開始メッセージを送信することを更に備えた請求項１に記載の方法。
【請求項７】
無線通信リンクのアップリンク部分において、基地局（ＢＳ）へメッセージを送信する送信機と、
前記無線通信リンクのダウンリンク部分において、前記ＢＳからのメッセージを受信する受信機と、
前記ダウンリンク部分での前記ＢＳからのページメッセージの受信に応答して、モバイル起点（ＭＯ）コール又はＭＯセッションを開始するために、前記アップリンク部分において開始メッセージの送信を開始するコントローラと
を備えたモバイル局。
【請求項８】
前記モバイル局は更に、
前記ＭＯコール又はＭＯセッション中に、前記ＢＳからの少なくとも１つのモバイル終点（ＭＴ）ショート・メッセージ・サービス（ＳＭＳ）メッセージを受信し、
前記ＭＯコール又はＭＯセッション中に、少なくとも１つのＭＯ  ＳＭＳメッセージを前記ＢＳへ送信する請求項７に記載のモバイル局。
【請求項９】
前記コントローラは更に、前記１つ又は複数のＭＯ  ＳＭＳメッセージに少なくとも部分的に基づいて、無線通信ネットワークにおける１つ又は複数のアプリケーションを可能とする請求項８に記載のモバイル局。
【請求項１０】
前記コントローラは更に、前記少なくとも１つのＭＯ  ＳＭＳメッセージの送信後、前記ＭＯコール又はＭＯセッションの解除を開始する請求項８に記載のモバイル局。
【請求項１１】
前記ページメッセージと前記開始メッセージとが、ｃｄｍａ２０００プロトコルに従って送信される請求項７に記載のモバイル局。
【請求項１２】
前記コントローラは更に、前記ページメッセージ内のサービスオプション番号に少なくとも部分的に基づいて、前記ページメッセージのアクノレッジメントの代わりに前記開始メッセージの送信を開始する請求項７に記載のモバイル局。
【請求項１３】
実行されると、計算プラットフォームに、
基地局（ＢＳ）からのページメッセージの受信を検出させ、
前記検出されたページメッセージの受信に応答して、モバイル起点（ＭＯ）コール又はＭＯセッションを開始するために、基点メッセージの送信を開始させる
格納された機械読取可能命令群を備える記憶媒体を備えた物品。
【請求項１４】
前記命令群は実行されると、前記計算プラットフォームに更に、
前記ＭＯコール又はＭＯセッション中に、受信した前記ＢＳからの少なくとも１つのモバイル終点（ＭＴ）ショート・メッセージ・サービス（ＳＭＳ）メッセージを処理させ、
前記ＭＯコール又はＭＯセッション中に、少なくとも１つのＭＯ  ＳＭＳメッセージの前記ＢＳへの送信を開始させる請求項１３に記載の物品。
【請求項１５】
前記命令群は実行されると、前記計算プラットフォームに更に、前記１つ又は複数のＭＯ  ＳＭＳメッセージに少なくとも部分的に基づいて、無線通信ネットワークにおける１つ又は複数のアプリケーションを可能とさせる請求項１４に記載の物品。
【請求項１６】
前記命令群は実行されると、前記計算プラットフォームに更に、前記少なくとも１つのＭОＳＭＳメッセージの送信後、前記ＭОコール又はＭОセッションの解除を開始させる請求項１４に記載の物品。
【請求項１７】
前記ページメッセージと前記開始メッセージとが、ｃｄｍａ２０００プロトコルに従って送信される請求項１３に記載の物品。
【請求項１８】
前記命令群は実行されると、前記計算プラットフォームに更に、前記ページメッセージのサービスオプション番号に少なくとも部分的に基づいて、前記ページメッセージのアクノレッジメントの代わりに前記開始メッセージの送信を開始する請求項１３に記載の物品。
【請求項１９】
基地局（ＢＳ）からのページメッセージをモバイル局（ＭＳ）において受信し、前記ＢＳと前記ＭＳとの間でコール又はセッションを開始しようと試みる手段と、
モバイル起点（ＭＯ）コール又はＭＯセッションを開始するために、前記ページメッセージに応答して、開始メッセージを前記ＢＳへ送信する手段と
を備えた装置。
【請求項２０】
前記ＭＯコール又はＭＯセッション中に、前記ＢＳからの少なくとも１つのモバイル終点（ＭＴ）ショート・メッセージ・サービス（ＳＭＳ）メッセージを前記ＭＳにおいて受信する手段と、
前記ＭＯコール又はＭＯセッション中に、少なくとも１つのＭＯ  ＳＭＳメッセージを前記ＭＳから前記ＢＳへ送信する手段と
を更に備えた請求項１９に記載の装置。
【請求項２１】
前記１つ又は複数のＭＯ  ＳＭＳメッセージに少なくとも部分的に基づいて、無線通信ネットワークにおける１つ又は複数のアプリケーションを可能とする手段を更に備えた請求項２０に記載の装置。
【請求項２２】
前記少なくとも１つのＭＯ  ＳＭＳメッセージの送信後、前記ＭＯコール又はＭＯセッションを解除する手段を更に備えた請求項２０に記載の装置。
【請求項２３】
基地局（ＢＳ）からモバイル局（ＭＳ）へのダウンリンクメッセージを受信し、前記ＢＳと前記ＭＳとの間のＭＴ  ＳＭＳコールを開始させることと、
前記ダウンリンクメッセージに応答して、前記ＭＳから前記ＢＳへのアップリンクメッセージを送り、前記ＢＳと前記ＭＳとの間のトラヒックチャネル上でＭＯ  ＳＭＳコールをセットアップさせることと、
前記トラヒックチャネルを介して、前記ＢＳからのＭＴ  ＳＭＳメッセージを前記ＭＳにおいて受信することと、
前記トラヒックチャネルを介して、前記ＭＳから前記ＢＳへのＭＯ  ＳＭＳメッセージを送ることによって、前記ＭＴ  ＳＭＳメッセージに応答することと
を備えた通信方法。
【請求項２４】
前記ＭＴ  ＳＭＳメッセージと前記ＭＯ  ＳＭＳメッセージとの両方が、前記トラヒックチャネルを介して送られた後にのみ、前記ＭＯ  ＳＭＳコールを解除することを更に備えるた請求項２３に記載の方法。
【請求項２５】
送信機と、
受信機と
を備えたモバイル局（ＭＳ）であって、更に、
基地局（ＢＳ）からのダウンリンクメッセージを前記受信機において受信し、前記ＢＳと前記ＭＳとの間のＭＴ  ＳＭＳコールを開始させ、
前記ダウンリンクメッセージに応答して、前記ＭＳから前記ＢＳへのアップリンクメッセージを送り、前記ＢＳと前記ＭＳとの間のトラヒックチャネル上でＭＯ  ＳＭＳコールをセットアップさせ、
前記トラヒックチャネルを介して、前記ＢＳからのＭＴ  ＳＭＳメッセージを前記受信機において受信し、
前記送信機によって、前記トラヒックチャネルを介して、前記ＭＳから前記ＢＳへのＭＯ  ＳＭＳメッセージを送信することによって、前記ＭＴ  ＳＭＳメッセージに応答するモバイル局。
【発明の詳細な説明】
【技術分野】
【０００１】
本明細書に開示された主題は、ショート・メッセージ・サービス（ＳМＳ）を用いる無線メッセージの送信に関する。
【背景技術】
【０００２】
セルラーネットワークにおいて、長いＳＭＳメッセージは一般に、基地局（ＢＳ）とモバイル局（ＭＳ）との間で送信チャネルを介して送信される。ＳＭＳメッセージがトラヒックチャネルでＭＳへ送信される場合、キャリアネットワークは一般に、ＭＳへＳＮＳメッセージを送信するためにコール又はセッションをセットアップする。キャリアネットワークはまた、一般に、完了後にコールを解除する。ネットワークは、メッセージがＭＳで受信されたというアクノレッジメントを受信するために、メッセージがＭＳへ送られた後、短時間の間コールをアクティブに保つことができる。
【０００３】
ＳＭＳメッセージは、無線通信ネットワークにおいてＭＳのアプリケーションを用いることを可能としうる。いくつかのアプリケーションにおいて、ネットワークは、１つ又は複数のＳＭＳメッセージを、ＢＳによって開始されたコールでＭＳへ送るのに対し、ＭＳは一般に、1つ又は複数のＳＭＳメッセージを応答として提供する。しかし、ネットワークは一般に、ＭＳが応答する準備ができる前に、ＢＳによって開始されたそのようなコールを解除するであろう。このような状況において、ＭＳは一般に、自身のＳＭＳメッセージを応答としてネットワークへ送るために、モバイル起点（ＭＯ）コールをセットアップしなければならない。ＳＭＳメッセージの１つの交換のために２つのコールをセットアップする必要があるということは、ネットワークリソース及びＭＳバッテリー電力の浪費である。
【０００４】
図1は、ＭＳとＢＳとの間のＳＭＳメッセージの交換を容易にするために、ＢＳによって開始される第１のコールであるモバイル終点（ＭＴ）コールと、ＭＳによって開始される第２のコールであるＭＯコールとの典型的な工程を示す。この場合、ＢＳは、ＳＭＳメッセージをＭＳへ提供するためにトラヒックチャネルで第１のコールを開始し、その後第１のコールを解除する。第１のコールの解除後、ＭＳが、ＳＭＳメッセージをＢＳへ提供するために第２のコールを開始し、その後第２のコールを解除する。
【０００５】
図２は、ｃｄｍａ２０００プロトコルに従ったトラヒックチャネルにおけるＭＳとＢＳとの間のＳＭＳメッセージの交換を容易にするための、ＢＳによって開始されるＭＴコールと、その後ＭＳによって開始されるＭＯコールとの別の典型的な工程を示す。この場合、ＢＳは、「汎用(General)ページメッセージ」の送信を備える事象において、ＭＴコールを開始しようと試み、１つ又は複数のＳＭＳメッセージをＭＳへ送信し、その後、ＭＳへの「解除命令」の送信を備える事象において、コールの解除を開始する。同様に、ＭＳは、ＢＳへの「開始」メッセージの送信を備える事象において、ＢＳへの第２のコールを開始し、１つ又は複数のＳＭＳメッセージをＭＳへ送信し、その後、ＢＳへの「解除命令」の送信を備える事象において、コールの解除を開始する。
【発明の開示】
【０００６】
本願は、２００６年４月１８日提出の米国特許仮出願６０／７９３，０８９号の利益を主張する。
【発明の概要】
【０００７】
１つの局面において、メッセージが、ショート・メッセージ・サービス（ＳＭＳ）に従って、モバイル局（ＭＳ）と基地局（ＢＳ）との間で交換される。例えば、ＭＳは、モバイル終点（ＭＴ）コールを確立しようとする試みにおいて、ＢＳからのメッセージを受信することができる。１つの特定の実施形態において、特許請求の範囲はこの点に限定されないが、このようなＭＳは、ＢＳからのメッセージの受信をアクノレッジする代わりに、モバイル起点（ＭＯ）コールを開始することができる。しかし、これらは、開示された主題の局面の単なる１つの例であって、特許請求の範囲はこのように限定されないことが理解されるべきである。
【詳細な説明】
【０００８】
限定的でなく包括的な特徴が、様々な図を通して同一の番号が同一の部分を示す図を参照して説明されるであろう。
【０００９】
本明細書を通して「１つの例」、「１つの特徴」、「例」、又は「１つの特徴」という言及は、特徴及び／又は例に関連して説明される特定の特徴、構成、又は特性が、特許請求された主題の少なくとも１つの特徴及び／又は例に含まれるということを意味する。従って、本明細書を通して様々な箇所において「１つの例において」、「例」、「１つの特徴において」、又は「特徴」という語句があっても、全てが同一の特徴及び／又は例を言及する必要は無い。更に、特定の特徴、構成、又は特性は、１つ又は複数の例及び／又は例において併用されうる。
【００１０】
本明細書で説明される方法は、特定の特徴及び／又は例に従うアプリケーションに依存する様々な手段によって実現されうる。例えば、このような方法は、ハードウェア、ファームウェア、ソフトウェア、又はこれらの組み合わせによって実現されうる。例えばハードウェアよる実現において、処理ユニットは、1つ又は複数の特定用途向け集積回路（ＡＳＩＣ）、デジタル信号プロセッサ（ＤＳＰ）、デジタル信号プロセッサデバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書に記述された機能を実現するために設計されたその他のデバイスユニット、及び／又はこれらの組み合わせにおいて実現されうる。
【００１１】
本明細書で言及されたような「命令」は、1つ又は複数の論理動作を表す表現に関連する。例えば命令は、1つ又は複数のデータオブジェクトにおける1つ又は複数の動作を実行するために機械によって解釈可能であることによって、「機械読取可能」でありうる。しかし、これは命令の単なる例であって、特許請求された主題はこの点に限定されない。別の例において、本明細書で言及されたような命令は、符号化されたコマンドを含むコマンドセットを有する処理回路によって実行可能である符号化されたコマンドに関連しうる。このような命令は、処理回路によって理解される機械言語の形式で符号化されうる。これらもまた、命令の単なる例であって、特許請求された主題はこの点に限定されない。
【００１２】
本明細書で言及されたような「記憶媒体」は、１つ又は複数の機械によって認知可能である表現を保持することができる媒体に関連する。例えば記憶媒体は、機械読取可能命令及び／又は機械読取可能情報を格納する1つ又は複数の記憶デバイスを備えうる。このような記憶デバイスは、例えば磁気記憶媒体、光記憶媒体、又は半導体記憶媒体を含むいくつかの媒体タイプのうちの任意の１つを備えうる。このような記憶デバイスはまた、長期メモリデバイス、短期メモリデバイス、揮発性又は不揮発性デバイスメモリデバイスのうちの任意のタイプを備えうる。しかし、これらは記憶媒体の単なる例であって、特許請求された主題はこれらの点に限定されない。
【００１３】
特に記述されていなければ、以下の記述から明らかであるように、本明細書を通して、例えば「処理」、「計算（computing）」、「計算（calculating）」、「選択」、「形成」、「可能とすること」、「抑止」、「位置決め」、「終了」、「識別」、「開始」、「検出」、「獲得」、「ホスト」、「維持」、「表示」、「推定」、「可能とすること」、「低減」、「結合」、「受信」、「送信」、「決定」及び／又はこれらと同様のもののような用語を用いる記述は、例えば、計算プラットフォームプロセッサ、メモリ、レジスタ、及び／又は情報を格納し、送信し、受信し、表示するその他のデバイスにおいて、物理的電子量、物理的磁気量、及び／又はその他の物理量として表されるデータを操作し変換するコンピュータデバイス又は同様の電子計算デバイスのような計算プラットフォームによって実行されうる動作及び／又は処理を指す。このような動作及び／又は処理は、例えば記憶媒体内に格納される機械読取可能命令の制御下で、計算プラットフォームによって実行されうる。このような機械読取可能命令は、例えば、（例えば処理回路の一部として含まれるか、このような処理回路に外付けである）計算プラットフォームの一部として含まれる記憶媒体内に格納されるソフトウェア又はファームウェアを備えうる。更に、特に記述されていなければ、本明細書でフロー図又はその他を参照して説明される処理もまた、このような計算プラットフォームによって全部又は一部を実行され、制御されうる。
【００１４】
本明細書で説明される通信技術は、例えば無線広域ネットワーク（ＷＷＡＮ）のような様々な無線通信ネットワークにおいて実現されうる。「ネットワーク」及び「システム」という用語は、本明細書において交換可能である。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一キャリア周波数分割多元接続（ＳＣ−ＦＤＭＡ）ネットワーク等を備えうる。ＣＤＭＡネットワークは、例えばいくつかの無線技術のみを上げるとｃｄｍａ２０００、広帯域ＣＤＭＡ（Ｗ−ＣＤＭＡ）のような1つ又は複数の無線アクセス技術（ＲＡＴ）を実現しうる。この場合ｃｄｍａ２０００は、ＩＳ−９５規格、ＩＳ−２０００規格、及びＩＳ−８５６規格に従って実現される技術を含みうる。ＴＤＭＡネットワークは、グローバル・システム・フォー・コミュニケーション（ＧＳＭ）、デジタル・アドバンスド・モバイル・フォン・システム（Ｄ−ＡＭＰＳ）、又はその他いくつかのＲＡＴを実現しうる。ＧＳＭ及びＷ−ＣＤＭＡは、「第３世代パートナーシッププロジェクト」（３ＧＰＰ）と名付けられた組織からの文書で説明される。ｃｄｍａ２０００は、「第３世代パートナーシッププロジェクト２」（３ＧＰＰ２）と名付けられた組織からの文書で説明される。３ＧＰＰ及び３ＧＰＰ２の文書は、公に入手可能である。
【００１５】
１つの特定の例において、特許請求された主題はこの点に限定されないが、モバイル局（ＭＳ）は、無線通信ネットワーク内のＭＳの１つ又は複数の「アプリケーション」によってサポートされているショート・メッセージ・サービス（ＳＭＳ）プロトコルに従って、メッセージを送受信することができる。この文脈において、このようなアプリケーションは、特定のタスクの完了、特定の動作の実行、及び／又は所望の結果の達成を可能とする１つ又は複数の実用的機能を備えることができる。このようなアプリケーションは例えば、電話音声通信、ページング又は電子メールを備えることができる。ＳＭＳプロトコルに従うメッセージングによって可能となるその他のアプリケーションは、例えば単にいくつか挙げると、緊急時（例えば緊急９１１コール）の位置決め、ウェブ・アプリケーション・プロトコル（ＷＡＰ）及びワイヤレス用バイナリ・ランタイム環境（ＢＲＥＷ（登録商標））、及び例えば位置決め情報を取得し送ることができる追跡デバイスのような低デューティサイクルを用いるアプリケーションを備えることができる。
【００１６】
特定の実施形態において、ＳＭＳメッセージは、無線通信ネットワークにおいて「シグナリングチャネル」又は「トラヒックチャネル」の何れかで送信される。特定の例において、トラヒックチャネルは、基地局（ＢＳ）とＭＳとの間でＳＭＳメッセージのようなメッセージを送信するために、無線通信リンク内に「アップリンク」部分と「ダウンリンク」部分とを備える。この場合、アップリンク部分はＭＳからＢＳへメッセージを送信することができるのに対し、ダウンリンク部分はＢＳからＭＳへメッセージを送信することができる。
【００１７】
１つの特徴において、無線通信ネットワークは、特定のネットワーク構成と送信されるＳＭＳメッセージのサイズとに少なくとも部分的に基づいて、このようなＳＭＳメッセージがシグナリングチャネルで送信されるかトラヒックチャネルで送信されるかを決定することができる。特定の例において、ＳＭＳメッセージは、例えばＢＳ又はＭＳによって開始された「コール」又は「セッション」を通してトラヒックチャネルで送信されることができる。
【００１８】
１つの特定の実施形態において、アプリケーションは、サービス及び／又はリソースのユーザへの提供に関するタスクを実行する1つ又は複数のコンピュータプログラムによって可能となりうる。以下に示すように、ＭＳは、記憶媒体内に格納される機械読取可能命令を備える1つ又は複数のコンピュータプログラムをホストすることができる計算プラットフォームを備えることができる。１つの特定の実施形態において、ＭＳにおいてホストされるこのようなコンピュータプログラムは、本明細書の何れかに示されるような1つ又は複数のアプリケーションを可能とすることができる。しかしこれは、ＭＳにおいてアプリケーションがいかに可能となりうるかの単なる１つの特定の例であって、特許請求の範囲はこの点に限定されないことが理解されるべきである。
【００１９】
ＭＳによって実行されるアプリケーションは、電力を消費する。これは、少なくとも部分的に、ＭＳ設計の要件に影響をもたらしうる。例えば、アプリケーションによって要求され増加した電力消費は、例えば製造ＭＳユニットのバッテリーサイズ及び形状因子に対する要件を全体的に増加させうる。そのため、１つの特定の局面において、ＭＳがより少ない電力消費で特定のアプリケーションを実行することを可能とすることは、より小さいバッテリー、形状因子、及び重さでＭＳユニットを製造することを可能としうる。従って、このようなＭＳユニットは結果的に、コスト面でより効果的に製造されることができる。
【００２０】
本開示の１つの局面において、ＭＳは、モバイル端末の（ＭＴ）コールを確立しようとしているＢＳからのメッセージの受信に応答して、ＭＯコールを開始することができる。この場合、ＢＳ及びＭＳは、単一のＭＯコール内でＳＭＳメッセージを交換することができ、このようなＳＭＳメッセージの交換のために２つのコールをセットアップする必要性を回避し、それによってＢＳとＭＳとの間のこのようなＳＭＳメッセージの交換を用いるアプリケーションに必要な電力消費の低減を可能とする。しかし、これは実施形態の単なる１つの例であって、特許請求の範囲はこのように限定されないことが理解されるべきである。
【００２１】
図３は、特定の例に従ってＳＭＳを提供することができるネットワークトポロジ１００の概略図である。ここで、ＭＳ１０８は、例えば上で明らかにしたようないくつかの無線通信プロトコルのうちの任意の１つに従う無線通信リンクを介してＢＳ１０６と通信する。モバイルサービス交換センター（ＭＳＣ）１０４は、ＭＳ１０８と（例えばセルラーネットワーク又は公衆交換電話網によってＭＳＣ１０４に接続された）他のデバイスとの間の通信のためのシグナリング機能を提供する。特定の例において、ＭＳＣ１０４は、上述したように、コール又はセッションがＭＳ１０８においてモバイル起点（ＭＯ）コールとして始まることができる、又はＢＳ１０６においてモバイル終点（ＭＴ）コールとして始まることができるトラヒックチャネルを提供することができる。特定の例において、ＭＳ１０８は、開始メッセージをＢＳ１０６へ送信することによってコール又はセッションを開始し、後続メッセージをＢＳ１０６へ送信することによってコール又はセッションの終了又は「解除」を開始することができる。またＢＳ１０６は、ページメッセージをＭＳ１０８へ送信することによってＭＳ１０８とのコール又はセッションを開始しようとし、後続メッセージをＭＳ１０８へ送信することによってコール又はセッションの終了又は解除を開始しようとすることができる。しかしこれらは、無線通信ネットワークにおいてＢＳ及びＭＳがいかにコール及び／又はセッションを開始及び解除しうるかの単なる例であって、特許請求の範囲はこの点に限定されないことが理解されるべきである。
【００２２】
１つの特定の局面において、ＭＳ１０８は、例えば上で明らかにしたようないくつかの無線通信ネットワークのうちの任意の１つに提供されるＳＭＳプロトコルのようないくつかのＳＭＳプロトコルのうちの任意の１つに設定されたメッセージを用いて、ＭＳＣ１０４を通してＳＭＳセンター（ＳＭＳＣ）１０２と通信することができる。この場合、例えば音声メール、ＷＡＰ、ＢＲＥＷ、緊急応答サービス又は位置サービスのようなサービスは、ＳＭＳＣ１０２とＭＳ１０８との間のＳＭＳメッセージの送信によって提供される通信チャネルによって可能となる。しかしこれらは、ＭＳとＢＳとの間のＳＭＳメッセージの送信によって可能となりうるアプリケーション及び／又はサービスの単なる例であって、特許請求の範囲はこの点に限定されないことが理解されるべきである。
【００２３】
特定の例において、ＭＳ１０８に関するアプリケーション及び／又はサービスは、ＢＳ１０６とＭＳ１０８との間のＳＭＳメッセージの交換を含むＢＳ１０６との双方向通信を伴うことができる。この場合、このようなＳＭＳメッセージの交換は、ＢＳ１０６とＭＳ１０８との間で、コール又はセッションの一部としてトラヒックチャネルで送信されることができる。特定の例に従う図４及び図５において以下に示されるように、このようなＳＭＳメッセージの交換は、単一のコール又はセッション内で送られることができる。これは例えば、ＭＳ１０８が、ＢＳ１０６によって試みられるコール又はセッションの起点を反転することによって達成されうる。現在示される実施形態において、ＢＳ１０６は、ページメッセージをＭＳ１０８へ送信することによって、トラヒックチャネルでＭＴコール又はセッションを開始しようと「試みる」ことができる。従って、コール又はセッションは、ソースから宛先への単なるメッセージの送信によって必ずしも確立されるわけではない。特定の示される実施形態において、例えば、このようなＭＴコール又はセッションは、ＢＳ１０６において受信されるページメッセージのアクノレッジメントの受信後に開始又は確立されることができる。
【００２４】
図４は、単一のコールでＭＳとＢＳとの間でメッセージを交換するためにＢＳによって試みられるコール又はセッションの起点を反転するためにＭＳによって実行される処理１２０を示すフロー図である。例示目的のために示される特定の例として、ＢＳ及びＭＳが、ｃｄｍａ２０００に従って提供される無線通信ネットワークを介するＳＭＳメッセージの送受信が可能である特定の実施形態において起こりうる図５のタイミング図の事象が本明細書で参照される。しかしこれは、例示目的のために提供される無線通信ネットワークにおける単なる１つの実施形態であって、異なるプロトコルを用いる他の無線通信ネットワークも、同様のプロセスでＭＳとＢＳとの間でＳＭＳメッセージを交換することができ、特許請求の範囲はこの点に限定されないということが理解されるべきである。
【００２５】
ｃｄｍａ２０００における特定の実施形態において、ＢＳは、ＭＳの要求されるサービスを識別するサービスオプション（ＳＯ）番号とＭＳに関する識別子とを含むページメッセージをＭＳへ送信することによって、ＭＳとのコールを開始しようとすることができる。ブロック１２２でこのようなページメッセージを受信すると、ＭＳは、ひし形１２４で、ページメッセージがＳＭＳサービスを要求しているかを判定し、もしページメッセージがＳＭＳサービスを要求していない場合、ブロック１２８で、受信したページメッセージを応答メッセージとしてアクノレッジする。ｃｄｍａ２０００の特定の実施形態において、例えば「６」又は「１４」のＳＯ番号は、要求されたサービスがＳＭＳサービスであるということを示すことができる。受信したページメッセージがＳＭＳサービスを要求していると判定すると、ＭＳはひし形１２６で、ＭＯコール又はセッションを開始するために図５の事象に示したように開始メッセージを送信するか、ページを応答メッセージとしてアクノレッジするかを選択的に決定する。この場合、例えば、ＭＳにおいてホストされた、特定のアプリケーションを可能とする1つ又は複数のコンピュータプログラムは、ページメッセージによって要求されたセッション又はコールがＳＭＳメッセージの双方向交換を開始するであろうと判定することができる。
【００２６】
ブロック１３０で、ＭＳは、ＭＯコール又はセッションを開始するために、開始メッセージ（例えば図５の事象２０４）を用いてページメッセージ（例えば図５の事象２０２）に応答することができる。特定の実施形態において、特許請求の範囲はこの点に限定されないが、ＢＳは、ＢＳからのページメッセージの送信と、それと同時にＭＳから送信される開始メッセージとの間の競合を、ＭＳからの開始メッセージに有効なように解決するように構成されうる。この場合、ＭＳからのこのような開始メッセージを受信すると、ＢＳは、（例えば事象２０２で送信される）アクノレッジされていないページメッセージを早急に破棄することができる。加えて、ＭＳは、ＭＳからの開始メッセージの送信に後続するＢＳからの後続ページメッセージを無視するように構成されることができる。
【００２７】
1つの局面において、（例えば事象２０２で）ページメッセージを送信すると、このようなＢＳは、ページメッセージをアクノレッジするメッセージを受信できないので、ＭＯセッション又はＭＯコールの一部としてＭＳからの開始メッセージに応答するように構成されることができる。従ってＢＳは、（例えば事象２０４で）このような開始メッセージに応答し、その後、ブロック１３２でＭＳによって受信されたモバイル終点（ＭＴ）メッセージをＭＳへ（例えば事象２３０で）送信することができる。ブロック１３４で、ＭＳは、ＭＳとＢＳとの間のＳＭＳメッセージの交換を完了するために（例えば事象２３２で）モバイル起点（ＭＯ）ＳＭＳメッセージを送信し、（例えば事象２３４で）ブロック１３６で単一のＭＯコールの解除を開始することができる。
【００２８】
図６は、実施形態の1つの局面に従うＭＳの概略図である。ここで、ＭＳ５００は、例えば上述した任意の無線通信ネットワークにおいて用いられるようないくつかの無線通信プロトコルのうちの任意の１つに従って、基地局（図示せず）と通信するための送信機及び受信機（図示せず）を備える双方向通信システム５２０を含むことができる。モバイルコントローラ５４０は、中央処理装置（ＣＰＵ）５４２及び結合されたメモリ５４４を備える計算プラットフォーム、ハードウェア、ソフトウェア、及びファームウェアを含むことができる。本明細書で用いられるように、ＣＰＵ５４２は、1つ又は複数のマイクロプロセッサ、埋込み型プロセッサ、コントローラ、特定用途向け集積回路（ＡＳＩＣ）、デジタル信号プロセッサ（ＤＳＰ）、及びこれらのようなものを含むことができるが、必ずしも含むとは限らないことが理解されるであろう。ＣＰＵという用語は、特定のハードウェアやデバイスではなく、システムによって実現可能な機能を説明するように意図されている。メモリ５４４は、上で明らかにされた1つ又は複数のタイプの記憶媒体を備えることができる。ユーザインタフェース５５０は、ユーザが、例えば音声又はデータのような情報をＭＳ５００へ入力し、またＭＳ５００から受け取ることを可能とすることができる。ユーザインタフェース５５０は例えば、キーパッド、ディスプレイスクリーン、マイクロホン、及びスピーカーを含むことができる。
【００２９】
ＭＳ５００は、無線通信ネットワークにおいて他のデバイスと通信可能ないくつかのデバイスのうちの任意の１つを備えることができる。例えばＭＳ５００は、モバイル電話、携帯情報端末、及び／又はパーソナルコンピュータを備えることができる。ＭＳ５００の別の例は、例えばアクティブでない時ほとんど電力を消費しない低デューティサイクル（ＬＤＣ）のような、位置決め情報を取得し送ることができる位置追跡デバイスである。このようなＬＤＣデバイスは起動後に、例えば、子ども、ペット、又はその他任意の動く目標物を追跡して捜し当て、指定されたモバイル電話やその他のデバイスへ警告を送るために用いられることができる。しかし、これらはＭＳの単なる特定の例であって、特許請求の範囲は、ＭＳの任意の特定のタイプに限定されないことが理解されるべきである。
【００３０】
特定の局面において、ＭＳ５００は、特定の例において上述したように、トラヒックチャネルを通してＢＳとメッセージを交換することができる。加えてＭＳ５００は、上述したようなＭＳ５００とＢＳとの間のメッセージの交換によって可能となるいくつかのアプリケーションのうちの任意の１つを可能とすることができる。ここで、例えば、単一のコールでＭＳとＢＳとの間のメッセージの交換を容易にする技術は、ＣＰＵによるメモリ５４４内に格納された機械読取可能命令の実行によって実行及び／又は制御されることができる。
【００３１】
特徴の例と見なされるものがここで示され説明されたが、特許請求の範囲から逸脱することなく、他の様々な変形例が可能であり、均等物が代用可能であることが当業者には明らかであるだろう。加えて、本明細書で説明された主要概念から逸脱することなく、多数の変形例が、特定の状況を特許請求の範囲の技術に適用するために可能である。従って、特許請求の範囲は、開示された特定の例に限定されるようには意図されておらず、特許請求の範囲内の全ての局面及びその均等物を含みうるように意図されている。
【図面の簡単な説明】
【００３２】
【図１】図１は、ショート・メッセージ・サービス（ＳＭＳ）を用いる、モバイル局（ＭＳ）と基地局（ＢＳ）との間のメッセージ交換の従来技術を示すタイミング図である。
【図２】図２は、特定のプロトコル実施形態に従うショート・メッセージ・サービス（ＳＭＳ）を用いる、ＭＳとＢＳとの間のメッセージ交換の従来技術を示すタイミング図である。
【図３】図３は、特定の例に従うネットワークトポロジの概略図である。
【図４】図４は、実施形態の１つの局面に従ってコールの開始を反転するために、ＭＳによって実行される処理を示すフロー図である。
【図５】図５は、１つの例に従う単一のコール内でのＭＳとＢＳとのメッセージの交換を示すタイミング図である。
【図６】図６は、実施形態の１つの局面に従うＭＳの概略図である。
【図１】
2009534946.tif 000003
【図２】
2009534946.tif 000004
【図３】
2009534946.tif 000005
【図４】
2009534946.tif 000006
【図５】
2009534946.tif 000007
【図６】
2009534946.tif 000008
【国際調査報告】
2009534946.tif 000009
2009534946.tif 000010
2009534946.tif 000011